(57)【要約】      （修正有）【課題】  流動する流体の流動方向を制御することによって、好ましい放熱効果が得られる放熱装置を提供する。【解決手段】  吸気口１２２と吹き出し口１２３を有し、内部に羽根車１１を回動自在に支持する支持部１２１を設けてなるフレーム１２と、該フレーム１２の支持部１２１に回動自在に設ける羽根車１１とによって放熱装置を構成する。該支持部１２１は該フレーム１２の吹き出し口側に設けられ、かつ該支持部１２１の外周面には、円周に沿って複数の風向制御手段１４を輻射状に配設してなり、且つ該制御手段１４は一端を該フレーム１２の内壁に接続するガイド部１４１とし、他端を該支持部１２１に接続する接続部１４２とするとともに、該ガイド部１４１のガイド面１４１ａが該接続部１４２のガイド面１４２ａより広くなるように形成する。【選択図】図２
2005051120.tif 000002
【特許請求の範囲】
【請求項１】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端を該フレームの内壁に接続するガイド部とし、他端を該支持部に接続する接続部とするとともに、該ガイド部のガイド面が該接続部のガイド面より広くなるように形成することを特徴とする、風向制御手段を具える放熱装置。
【請求項２】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端を該支持部に接続するガイド部とし、他端を該フレームの内壁に接続する接続部とするとともに、該ガイド部のガイド面が該接続部のガイド面より広くなるように形成することを特徴とする、風向制御手段を具える放熱装置。
【請求項３】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は両端を該フレームの内壁と該支持部にそれぞれに接続するガイド部とし、かつ両ガイド部の中間を接続部とするとともに、該ガイド部のガイド面が該接続部のガイド面より広くなるように形成することを特徴とする、風向制御手段を具える放熱装置。
【請求項４】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端を該フレームの内壁に接続するガイド部とし、他端を該支持部に接続する支持部とするとともに、該ガイド部のガイド面が該接続部のガイド面より広くなるように形成することを特徴とする、風向制御手段を具える放熱装置。
【請求項５】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端を該支持部に接続するガイド部とし、他端を該フレームの内壁に接続する接続部とするとともに、該ガイド部のガイド面が該接続部のガイド面より広くなるように形成することを特徴とする、風向制御手段を具える放熱装置。
【請求項６】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は両端を該フレームの内壁と該支持部にそれぞれに接続するガイド部とし、かつ両ガイド部の中間を接続部とするとともに、該ガイド部のガイド面が該接続部のガイド面より広くなるように形成することを特徴とする、風向制御手段を具える放熱装置。
【請求項７】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持部に接続するするとともに、該制御羽根の面積が該支持部に接続する側から外方向に向かって徐々に広くなるように形成することを特徴とする、風向制御手段を具える放熱装置。
【請求項８】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持部に接続するするとともに、該制御羽根の面積が該支持部に接続する側から外方向に向かって徐々に狭くなるように形成することを特徴とする、風向制御手段を具える放熱装置。
【請求項９】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持に接続するするとともに、該制御バネの面積が該支持部に接続する側から外方向に向かって徐々に狭くなり、さらに徐々に広くなるように形成することを特徴とする、風向制御手段を具える放熱装置。
【請求項１０】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御羽根の面積が該支持部に接続する側から外方向に向かって徐々に広くなるように形成することを特徴とする、風向制御手段を具える放熱装置。
【請求項１１】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御羽根の面積が該支持部に接続する側から外方向に向かって徐々に狭くなるように形成することを特徴とする、風向制御手段を具える放熱装置。
【請求項１２】
吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持に接続するとともに、該制御羽根の面積が該支持部に接続する側から外方向に向かって徐々に狭くなり、さらに徐々に広くなるように形成することを特徴とする、風向制御手段を具える放熱装置。
【請求項１３】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は一端を該フレームの内壁に接続するガイド部とし、他端を該支持部に接続する接続部とするとともに、該ガイド部のガイド面が該接続部のガイド面より広くなるように形成することを特徴とする、風向制御手段を具える放熱装置。
【請求項１４】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は一端を該フレームの内壁に接続する接続部とし、他端を該支持部に接続するガイド部とするとともに、該ガイド部のガイド面が該接続部のガイド面より広くなるように形成することを特徴とする、風向制御手段を具える放熱装置。
【請求項１５】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続するガイド部とし、両ガイド部の中間を接続部とするとともに、該ガイド部のガイド面が該接続部のガイド面より広くなるように形成することを特徴とする、風向制御手段を具える放熱装置。
【請求項１６】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に広くなるように形成することを特徴とする、風向制御手段を具える放熱装置。
【請求項１７】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に狭くなるように形成することを特徴とする、風向制御手段を具える放熱装置。
【請求項１８】
ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に広くなり、更に徐々に狭くなるように形成することを特徴とする、風向制御手段を具える放熱装置。
【請求項１９】
前記ファンモジュールが、羽根車とフレームを含んでなることを特徴とする請求項１３から請求項１８のいずれかに記載する風向制御手段を具える放熱装置。
【請求項２０】
前記風向制御手段が、風向を制御する制御羽根であることを特徴とする請求項１から請求項１８のいずれかに記載の風向制御手段を具える放熱装置。
【請求項２１】
前記風向制御手段が、風向を制御する平板状の制御羽根であることを特徴とする請求項１から請求項１８のいずれかに記載の風向制御手段を具える放熱装置。
【発明の詳細な説明】
【技術分野】
【０００１】
本発明は、放熱装置に関し、特に電子デバイスに設けられ、放熱を行うための風向制御手段を具える放熱装置に関するものである。
【背景技術】
【０００２】
今日に至るまで、電子製品は機能向上が絶え間なく要求されてきた。これに対して、電子製品の稼働率も高められ、運転速度も高速化を目指して改善がなされてきた。かかる電子製品の稼働率の向上に伴い、発生する温度もますます高くなってきた。電子製品を高温の温度条件下で作動させると、システムの安定性に影響を与える。よって如何にして発生する熱を迅速、かつ効果的に排除してシステムの温度を降下させ、適宜な作動温度条件で電子製品を稼動させるかが、目下重要な研究の課題となっている。
【０００３】
熱を効果的に排出するための装置として、ファンを利用することは最も経済的な方法とされている。ファンは、電動機の作用で電気エネルギーを機械的エネルギーに転換して羽根を回転させる。即ち、エネルギーを羽根に伝動して熱を含んだ流体を流動させ、放熱の目的を達成する。
【０００４】
一般のファンは、流体が羽根の回転によって流動し、吹き出し口を通過する場合、ファンの外部周囲に拡散する。しかも、ファンのハブ後方に比較的大きな流体の滞留領域が形成される。このため放熱効果は決して好ましいものではない。仮に流体の流動性が好ましくなく、インピーダンスの高い領域に設けられる電子デバイスに対して、かかる従来のファンを以って放熱を行うのであれば、ファンのハブ後方に形成される流体滞留領域の影響を受けるため、達成される放熱効果には限りがある。したがって、電子デバイスの温度が容易に高くなり、熱による損傷を招くことになる。
【０００５】
台湾特許第０９０１１８８１６号は、ファンに関するものであって、組み立て式ファンとファンフレーム構造が開示される。即ち、組み立て式ファンはファンとファンフレームからなり、該ファンフレームは、第１フレームと、該第１フレームの内部に設けられる気流をガイドするための第１吸気口とを含んでなり、該第１吸気口の内壁には、複数の制御羽根が排列して設けられ、ファンが回転する時、制御羽根は気流の風量と風圧を上昇させる。
【０００６】
上述の実施例は、気流の流動量を増加させるが、ファンの回転により流出する流体の方向を制御することができないため、ファンのハブ後方に比較的大きな流体の滞留領域が形成される。このため放熱効果は決して好ましいものではない。
【０００７】
【特許文献１】台湾特許出願第０９０１１８８１６号公報
【発明の開示】
【発明が解決しようとする課題】
【０００８】
この発明は、流体の半径方向に対する流動の圧力に変化を与えて、吹き出し口から放出される流体の流動を中心部に集中させて、効率のよい放熱効果を達成することができる風向制御手段を具えて成る放熱装置を提供することを課題とする。
【課題を解決するための手段】
【０００９】
そこで、本発明者は従来の技術に見られる欠点に鑑み鋭意研究を重ねた結果、フレームと、フレーム内に設けられ、羽根車を回動自在に支持する支持部と、該支持部の外周面に、円周に沿って輻射状に設けられ風向を制御する風向制御手段とを含んでなる放熱装置の構造によって課題を解決できる点に着眼し、かかる知見に基づいて本発明を完成させた。
【００１０】
以下、この発明について具体的に説明する。
請求項１に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端を該フレームの内壁に接続するガイド部とし、他端を該支持部に接続する接続部とするとともに、該ガイド部のガイド面が該接続部のガイド面より広くなるように形成する。
【００１１】
請求項２に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端を該支持部に接続するガイド部とし、他端を該フレームの内壁に接続する接続部とするとともに、該ガイド部のガイド面が該接続部のガイド面より広くなるように形成する。
【００１２】
請求項３に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は両端を該フレームの内壁と該支持部にそれぞれに接続するガイド部とし、かつ両ガイド部の中間を接続部とするとともに、該ガイド部のガイド面が該接続部のガイド面より広くなるように形成する。
【００１３】
請求項４に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端を該フレームの内壁に接続するガイド部とし、他端を該支持部に接続する支持部とするとともに、該ガイド部のガイド面が該接続部のガイド面より広くなるように形成する。
【００１４】
請求項５に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端を該支持部に接続するガイド部とし、他端を該フレームの内壁に接続する支持部とするとともに、該ガイド部のガイド面が該接続部のガイド面より広くなるように形成する。
【００１５】
請求項６に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は両端を該フレームの内壁と該支持部にそれぞれに接続するガイド部とし、かつ両ガイド部の中間を接続部とするとともに、該ガイド部のガイド面が該接続部のガイド面より広くなるように形成する。
【００１６】
請求項７に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持部に接続するするとともに、該制御羽根の面積が該支持部に接続する側から外方向に向かって徐々に広くなるように形成する。
【００１７】
請求項８に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御羽根の面積が該支持部に接続する側から外方向に向かって徐々に狭くなるように形成する。
【００１８】
請求項９に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吹き出し口側に設けられ、かつ該支持部の外周面には、円周に沿って複数の風向制御手段を輻射状に配設してなり、且つ該制御手段は一端が該フレームの内壁に接続し、他端が該支持部に接続するするとともに、該制御羽根の面積が該支持部に接続する側から外方向に向かって徐々に狭くなり、さらに徐々に広くなるように形成する。
【００１９】
請求項１０に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御羽根の面積が該支持部に接続する側から外方向に向かって徐々に広くなるように形成する。
【００２０】
請求項１１に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御バネの面積が該支持部に接続する側から外方向に向かって徐々に狭くなるように形成する。
【００２１】
請求項１２に記載する風向制御手段を具える放熱装置は、吸気口と吹き出し口を有し、内部に羽根車を回動自在に支持する支持部を設けてなるフレームと、
該フレームの支持部に回動自在に設ける羽根車とによって構成される放熱装置であって、
該支持部が該フレームの吸気口側に設けられ、かつ該支持部の外周面には、円周に沿って複数の風向制御手段を輻射状に配設してなり、且つ該制御手段は一端が該フレームの内壁に接続し、他端が該支持部に接続するとともに、該制御羽根の面積が該支持部に接続する側から外方向に向かって徐々に狭くなり、さらに徐々に広くなるように形成する。
【００２２】
請求項１３に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は一端を該フレームの内壁に接続するガイド部とし、他端を該支持部に接続する接続部とするとともに、該ガイド部のガイド面が該接続部のガイド面より広くなるように形成する。
【００２３】
請求項１４に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は一端を該フレームの内壁に接続する接続部とし、他端を該支持部に接続するガイド部とするとともに、該ガイド部のガイド面が該接続部のガイド面より広くなるように形成する。
【００２４】
請求項１５に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続するガイド部とし、両ガイド部の中間を接続部とするとともに、該ガイド部のガイド面が該接続部のガイド面より広くなるように形成する。
【００２５】
請求項１６に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に広くなるように形成する。
【００２６】
請求項１７に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に狭くなるように形成する。
【００２７】
請求項１８に記載する風向制御手段を具える放熱装置は、ファンモジュールと、
吸気口と吹き出し口を有し、内部に支持部を設けてなり、該ファンモジュールに接続するフレームとによってなる放熱装置であって、
該フレームの支持部の外周面には、円周に沿って複数の風向制御手段を輻射状に配設してなり、且つ該制御手段は両端が該フレームの内壁と該支持部にそれぞれ接続し、且つ該制御手段は該支持部に接続する一端から外方向に面積が徐々に広くなり、更に徐々に狭くなるように形成する。
【００２８】
請求項１９に記載する風向制御手段を具える放熱装置は、請求項１３から請求項１８のいずれかにおけるファンモジュールが、羽根車とフレームを含んでなる。
【００２９】
請求項２０に記載する風向制御手段を具える放熱装置は、請求項１から請求項１８のいずれかにおける風向制御手段が、風向を制御する制御羽根である。
【００３０】
請求項２１に記載する風向制御手段を具える放熱装置は、請求項１から請求項１８のいずれかにおける風向制御手段が、風向を制御する平板状の制御羽根である。
【発明の効果】
【００３１】
本発明の風向制御手段を具える放熱装置は、流動する流体の半径方向の圧力を変化させ、流体の流動方向を制御することによって、効率の良い放熱効果が得られるという効果を奏し得る。
【発明を実施するための最良の形態】
【００３２】
この発明は、電子デバイスなどに設けられ、発生する熱を効率良く放出することができる風向制御手段を具えた放熱装置を提供するものであって、対向する両端面を流体の吸気口及び吹き出し口とし、且つ内部に羽根車を支持する支持部を設けたフレームと、該支持部に回動自在に設ける羽根車とによって放熱装置を構成し、該支持部の外周面には、円周に沿って風向制御手段である複数の制御羽根を輻射状に配設する。
係る放熱装置の構造と特徴を詳述するために、具体的な実施例を挙げ、図面を参照して以下に説明する。
【実施例１】
【００３３】
図１、２、３に第１の実施例を開示する。図面によれば、羽根車（１１）と、フレーム（１２）とによって放熱装置を構成する。該フレーム（１２）は、対向する両端面をそれぞれ流体が流動する吸気口（１２２）及び吹き出し口（１２３）とし、羽根車（１１）を支持する支持部（１２１）を設ける。該羽根車（１１）は、ハブ（１１１）と羽根（１１２）とによってなり、該ハブ（１１１）をフレーム（１２）の支持部（１２１）に回動自在に設ける。また、フレーム（１２）の該吹き出し口（１２３）には、風向制御手段である複数の制御羽根（１４）を設ける。
【００３４】
制御羽根（１４）は、フレーム（１２）の支持部（１２１）の外周に沿って輻射状に排列して設けられる。即ち、制御羽根（１４）は、一端がフレーム（１２）の内壁に接続し、このフレーム（１２）側の部分をガイド部（１４１）とし、他端がハブ（１１１）に接続し、このハブ（１１１）側の部分を接続部（１２１）とするとともに、ガイド部（１４１）のガイド面（１４１ａ）の面積を接続部（１２１）のガイド面（１４２ａ）より広くなるように形成する。かかる構成の制御羽根（１４）は、フレーム（１２）を通過する流体の半径方向の圧力を変更する作用を有するため、流体が吹き出し口（１２３）を通過すると中心部に向かって流動し、吹き出し口（１２３）を通過すると同時に外方向へ拡散することが抑制される。よって、流体の流動方向を制御し、かつ騒音の発生を抑制する効果を達成することができる。
【００３５】
図４に開示するように、羽根（１１２）が回転すると、非定常な流れの場（flow field）の変化が発生して流体が吸気口（１２２）から進入し、吹き出し口（１２３）から吹き出される。流体が吹き出し口（１２３）を通過すると、制御羽根（１４）のガイド部（１４１）のガイド面（１４１ａ）の作用によって制御を受け、半径方向に対する圧力に大きな変化が発生して支持部（１２１）の後方中心部に向かって流動する。よって流体の支持部（１２１）の後方へ流動する流量が増加し、支持部（１２１）の後方に発生する滞留領域が縮小する。このため、この発明による風向制御手段を具えるファンを放熱システム内に応用し、熱エネルギーを周囲の環境に送る場合、放熱効率を大幅に高め、放熱システム全体の放熱効果をさらに高めることができる。
【００３６】
制御羽根（１４）は、図４に開示するように断面がL字状を呈するように形成する以外に、図５に開示するように、断面が略Ｔ字状を呈し、即ち中間部が内方向に突出するように形成する制御羽根（１７）であってもよい。この場合、同様にガイド部（１７１）と接続部（１７２）とに分けられ、該ガイド部（１７１）のガイド面（１７１a）の面積が接続部（１７２）のガイド面（１７２a）の面積より広くなるように形成する。また、図６に開示するように断面が逆L字状を呈する制御羽根（１１）であってもよい。この場合、同様にガイド部（１８）のガイド面（１８１ａ）面積が、固定部（１８２）のガイド面（１８２a）の面積よりも広くなるように形成する。いずれの形状であっても制御羽根（１７）と同様に、流体の半径方向に対する圧力を変化させ、吹き出し口（１２３）において流体を中心に向かって流動させて放熱効果を高めることができる。
【実施例２】
【００３７】
この発明の第２の実施例を図７から図１０に開示する。全体的な構造は前述の第１の実施例と略同様あるためここでは詳述しない。第２の実施例においては、支持部（１２１）をフレーム（１２）の吹き出し口（１２３）側に設け、該支持部（１２１）の外周には、円周に沿って風向制御手段である平板状の制御羽根（１６）を輻射状に配設する点が異なる。該制御羽根（１６）は、ガイド部（１６１）と接続部（１６２）とを具えてなり、該ガイド部（１６１）のガイド面（１６１a）は、接続部（１６２）のガイド面（１６２a）に比して広く形成し、フレーム（１２）を流動する流体の半径方向に対する圧力を変化させて流体の流動方向を制御する効果を達成する。
【実施例３】
【００３８】
図１１から図１３に開示するように、第３の実施例による放熱装置は羽根車（２１）と、フレーム（２２）とによって構成される。該羽根車（２１）は、ハブ（２１１）と羽根（２１２）とによってなり、該フレーム（２２）は、対向する両端面をそれぞれ流体が流動する吸気口（２２２）及び吹き出し口（２２３）とし、内部に羽根車（２１）のハブ（２１１）を支持する支持部（２２１）を設けて、羽根車（２１）を内設する。
【００３９】
該支持部（２２１）は、フレーム（２２）の吹き出し口（２２３）側に設け、且つ支持部（２２１）の外周には、円周に沿って流体制御手段である制御羽根（２４）を輻射状に配設する。該制御羽根（２４）は一端を支持部（２２１）に接続するガイド部（２４１）とし、他端をフレーム（２２）の内壁に接続する接続部（２４２）とし、且つ該ガイド部（２４１）のガイド面（２４１a）は、接続部（２４２）のガイド面（２４２a）に比して面積が広くなるように形成し、フレーム（２２）を流動する流体の半径方向に対する圧力を変化させて、流体の流動方向制御の効果を達成する。
【００４０】
図１４に開示するように、羽根（２１２）が回転すると、非定常な流れの場（flow field）の変化が発生して流体が吸気口（２２２）から進入し、吹き出し口（２２３）から吹き出される。流体が吸気口（２２２）を通過すると、制御羽根（２４）のガイド部（２４１）のガイド面（２４１a）の作用によって制御を受け、半径方向に対する圧力に大きな変化が発生して、流体が外方向に流動し拡散する。このように、流体の半径方向に対する圧力が変化するため、流体が外方向に流動し、拡散する範囲が広くなる。
【００４１】
図１４に開示する制御羽根（２４）は、図１５に開示するように、断面がＴ字状を呈し、ガイド部（２７１）と接続部（２７２）が形成され、且つ該ガイド部（２７１）のガイド面（２７１a）が接続部（２７２）のガイド面（２７２ａ）よりも面積が広くなるように形成した制御羽根（２７）か、図１６に開示するように、断面が逆Ｌ字状を呈し、ガイド部（２８１）と接続部（２８２）が形成され、且つ該ガイド部（２８１）のガイド面（２８１ａ）が接続部（２８２）のガイド面（２８２ａ）より面積が広くなるように形成した制御羽根（２８）であってもよい。いずれも吹き出し口（２２３）を通過する流体の半径方向の圧力を変化させて、流体の流動方向を制御する効果を達成することができる。
【実施例４】
【００４２】
この発明の第４の実施例を図１７から図２０に開示する。全体的な構造は前述の第３の実施例と同じであるためここでは詳述しない。第４の実施例においては、フレーム（２２）の吹き出し口（２２３）側に支持部（２２１）を設け、該支持部（２２１）の外周面には、円周に沿って風向制御装置である平板状の制御羽根（２６）を輻射状に配設する点が異なる。制御羽根（２６）はガイド部（２６１）と接続部（２６２）を具えてなり、且つ該ガイド部（２６１）のガイド面（２６１a）は接続部（２６２）のガイド面（２６２a）に比して面積が広くなるように形成し、流体の半径方向に対する圧力を変化させて流動方向を制御する効果を達成する。
【実施例５】
【００４３】
図２１から図２３に第５の実施例を開示する。図面によれば、ファン（３１）と、羽根車（３２）とによって放熱装置を構成する。該羽根車（３２）は、ハブ（３１１）と羽根（３１２）とによってなり、該フレーム（３２）は、対向する両端面をそれぞれ流体が流動する吸気口（３２２）及び吹き出し口（３２３）とし、内部に羽根車（３１）のハブ（３１１）を支持する支持部（３２１）を設けて、羽根車（３１）を内設する。
【００４４】
支持部（３２１）は、フレーム（３２）の吹き出し口（３２３）側に設けられ、該支持部（３２１）の外周面には、円周に沿って流体制御手段である制御羽根（３４）を輻射状に配設する。該制御羽根（３４）は、一端を支持部（３２１）に接続するガイド部（３４１）と、他端をフレーム（３２）の内壁に接続する接続部（３４２）とし、且つガイド部（３４１）のガイド面（３４１a）は接続部（３４２）のガイド面（３４２a）に比して広くなるように形成し、制御羽根（３４）の作用によってフレーム（３２）を流動する流体の半径方向に対する圧力を変化させ、中心に向かって流動させる作用を有する。このため、吹き出し口（３２３）を通過した流体が即外方向に拡散することなく、流体の流動方向制御の効果を達成することができ、騒音の発生を抑制することができる。
【００４５】
図２４に開示するように、羽根（３１２）が回転すると、非定常な流れの場（flow field）の変化が発生して流体が吸気口（３２２）から進入し、吹き出し口（３２３）から吹き出される。流体が吸気口（３２２）を通過すると、制御羽根（３４）のガイド部（３４１）のガイド面（３４１a）の作用によって制御を受け、流体の半径方向に対する圧力に大きな変化が発生して支持部（３２１）の後方中心部に向かって流動する。よって流体の支持部（３２１）の後方へ流動し、支持部（３２１）の後方に発生する滞留領域が縮小する。このため、この発明による風向制御手段を具えるファンを放熱システム内に応用し、熱エネルギーを周囲の環境に送る場合、放熱効率を大幅に高め、放熱システム全体の放熱効果をさらに高めることができる。
【００４６】
図２４に開示する制御羽根（３４）は断面が凹状を呈するが、図２５に開示するように、断面が略Ｈ字状を呈し、ガイド部（３７１）と接続部（３７２）とを有し、かつガイド部（３７１）のガイド面（３７１a）が接続部（３７２）のガイド面（３７２a）に比して広くなるように形成した制御羽根（３７）か、図２６に開示するように断面が外方向から凹状部を形成するコの字状の形状であって、ガイド部（３８１）と接続部（３８２）とを有し、かつガイド部（３８１）のガイド面（３８１a）が接続部（３８２）のガイド面（３８２a）に比して広くなるように形成した制御羽根（３８）であってもよく、いずれもフレーム（３２）を流動する流体の半径方向に対する圧力を変化させ、流体の流動方向を制御する効果を達成することができる。
【実施例６】
【００４７】
この発明の第６の実施例を図２７から図３０に開示する。全体的な構造は前述の第５の実施例と略同様であるためここでは詳述しない。第６の実施例においては、フレーム（３２）の吹き出し口（３２３）側に支持部（３２１）を設け、該支持部（３２１）の外周面には、円周に沿って風向制御手段である平板状の制御羽根（３６）を輻射状に配設する点において異なる。該制御羽根（３６）はガイド部（３６１）と接続部（３６２）とを具え、ガイド部（３６１）のガイド積（３６１a）が接続部（３６２）のガイド面（３６２a）に比して面積が広くなるように形成し、フレーム（３２）を流動する流体の半径方向の圧力を変化させ、流体の流動方向を制御する効果を達成する。
【実施例７】
【００４８】
図３１から図３３に第７の実施例を開示する。図面によれば、羽根車（４１）と、フレーム（４２）とによって放熱装置を構成する。該羽根車（４１）は、ハブ（４１１）と羽根（４１２）とによってなり、該フレーム（４２）は、対向する両端面をそれぞれ流体が流動する吸気口（４２２）及び吹き出し口（４２３）とし、内部に羽根車（４１）のハブ（４１１）を支持する支持部（４２１）を設けて、羽根車（４１）を内設する。
【００４９】
支持部（４２１）は、フレーム（４２）の吸気口（４２２）側に設け、支持部（４２１）の外周面には、円周に沿って流体制御手段である制御羽根（４４）を輻射状に配設する。該制御羽根（４４）は一端をフレーム（４２）の内壁に接続するガイド部（４４１）とし、他端を支持部（４２１）に接続する接続部（４４２）とし、かつ該ガイド部（４４１）のガイド面（４４１a）が接続部（４４２）のガイド面（４４２a）に比して広くなるように形成する。このためフレーム（４２）を流動する流体は、制御羽根（４４）の作用によって半径方向に対する圧力が変化し、吹き出し口（４２３）の中心に向かって流動する。よって、吹き出し口（４２３）を通過した流体が即外方向に拡散することなく、流体の流動方向の制御を達成し、騒音の発生を抑制することができる。
【００５０】
図３４に開示するように、羽根（４１２）が回転すると、非定常な流れの場（flow field）の変化が発生して流体が吸気口（４２２）から進入し、吹き出し口（４２３）から吹き出される。流体が吸気口（４２２）を通過すると、制御羽根（４４）のガイド部（４４１）のガイド面（４４１a）よって制御を受けて半径方向に対する圧力に大きな変化が発生し、ハブ（４１１）方向に流体が集中して流動する。また、羽根（４１２）の回転によって流体が吹き出し口（４２３）に向かって流動する場合、流体はハブ（４１１）の後方中心部に向かって流動するため、ハブ（４１１）の後方に流動する流量が増加し、ハブ（４１１）の後方に発生する滞留領域が縮小する。このため、この発明による風向制御手段を具えるファンを放熱システム内に応用し、熱エネルギーを周囲の環境に送る場合、放熱効率を大幅に高め、放熱システム全体の放熱効果をさらに高めることができる。
【００５１】
図３４に開示する制御羽根（４４）は、断面がL字状を呈するが、図３５に開示するように断面がＴ字状を呈し、即ち中間部が内方向に突出するように形成され、ガイド部（４７１）と接続部（４７２）とを有するとともに、ガイド部（４７１）のガイド面（４７１a）が接続部（４７２）のガイド面（４７２a）に比して広くなるように形成した制御羽根（４７）か、図３６に開示するように断面が逆L字状を呈し、ガイド部（４８１）と接続部（４８２）を有し、かつガイド部（４８１）のガイド面（４８１a）が接続部（４８２）のガイド面（４８２a）に比して広くなるように形成した制御羽根（４８）であってもよく、吹き出し口（４２３）を流動する流体の半径方向に対する圧力を変化させ、流体の粒度方向を制御して、放熱効果を高めることができる。
【実施例８】
【００５２】
この発明の第８の実施例を図３７から図４０に開示する。全体的な構造は前述の実施例と略同様であるためここでは詳述しない。第８の実施例においては、支持部（４２１）をフレーム（４２）の吸気口（４２２）側に設け、支持部（４２１）の外周面には、円周に沿って制御手段である平板状の制御羽根（４６）を輻射状に配設する点が異なる。該制御羽根（４６）はガイド部（４６１）と接続部（４６２）を具え、ガイド部（４６１）のガイド面（４６１a）が接続部（４６２）のガイド面（４６２ａ）に比して広くなるように形成し、フレーム（４２）を流動する流体の半径方向に対する圧力を変化させて、流体の流動方向を制御する効果を達成する。
【実施例９】
【００５３】
図４１から図４３に第９の実施例を開示する。図面によれば羽根車（５１）と、フレーム（５２）とによって放熱装置を構成する。該羽根車（５１）は、ハブ（５１１）と羽根（５１２）とによってなり、該フレーム（５２）は、対向する両端面をそれぞれ流体が流動する吸気口（５２２）及び吹き出し口（５２３）とし、内部に羽根車（５１）のハブ（５１１）を支持する支持部（５２１）を設けて、羽根車（５１）を内設する。
【００５４】
フレーム（５２）の吸気口（５２２）側に設けられる支持部（５２１）の外周には、円周に沿って流体制御手段である制御羽根（５４）を輻射状に配設する。該制御羽根（５４）は一端を支持部（５２１）に接続するガイド部（５４１）とし、他端をフレーム（５２）に接続する接続部（５４２）とする。該ガイド部（５４１）のガイド面（５４１a）は、接続部（５４２）のガイド面（５４２a）に比して面積が広くなるように形成し、制御羽根（５４）の作用によってフレーム（５２）を流動する流体の半径方向に対する圧力を変化させて、流体の流動方向を制御する。
【００５５】
図４４に開示するように、羽根（５１２）が回転すると、非定常な流れの場（flow field）の変化が発生して流体が吸気口（５２２）から進入し、吹き出し口（５２３）から吹き出される。流体が吸気口（５２２）を通過すると、制御羽根（５４）のガイド部（５４１）のガイド面（５４１a）によって制御を受け、半径方向に対する圧力に大きな変化が発生して、羽根（５１２）の一端に向かって流動する。また、羽根（５１２）の回転によって流体が吹き出し口（５２３）を通過する場合、流体の半径方向に対する圧力が大きく変化し、外方向に拡散する範囲が広くなる。
【００５６】
図４４に開示する制御羽根（５４）は、フレーム（５２２）の中心方向の一端が凹状を呈し、断面がL字状に形成されるが、図４５に開示するように、断面がＴ字状を呈し、ガイド部（５７１）と接続部（５７２）とを具えてなり、且つ該ガイド部（５７１）のガイド面（５７１a）が接続部（５７２）のガイド面（５７２ａ）に比して広くなるように形成した制御羽根（５７）か、もしくは図４６に開示するように、フレーム（５２２）に接続する一端が凹状を呈し、断面が逆L字状に形成され、ガイド部（５８１）と接続部（５８２）とを具えてなり、ガイド部（５８１）のガイド面（５８１a）が接続部（５８２）のガイド面（５８２a）に比して広くなるように形成した制御羽根（５８）であってもよく、いずれも制御羽根（５４）と同様に、流体の半径方向に対する圧力を変化させ、流体の流動方向を制御する効果を達成することができる。
【実施例１０】
【００５７】
この発明の第１０の実施例を図４７から図５０に開示する。全体的な構造は前述の実施例と略同様であるためここでは詳述しない。第１０の実施例においては、支持部（５２１）をフレーム（５２）の吸気口（５２２）側に設け、該支持部（５２１）の外周面には、円周に沿って風向制御手段である平板状の制御羽根（５６）を輻射状に設ける点が異なる。該制御羽根（５６）はガイド部（５６１）と接続部（５６２）を具え、ガイド部（５６１）のガイド面（５６１a）が接続部（５６２）のガイド面（５６２a）に比して広くなるように形成し、フレーム（５２）を流動する流体の半径方向に対する圧力を変化させて流動方向を制御する効果を達成する。
【実施例１１】
【００５８】
図５１から図５３にこの発明の第１１の実施例を開示する。図面によれば、羽根車（６１）と、フレーム（６２）とによって放熱装置を構成する。該羽根車（６１）は、ハブ（６１１）と羽根（６１２）とによってなり、該フレーム（６２）は、対向する両端面をそれぞれ流体が流動する吸気口（６２２）及び吹き出し口（６２３）とし、内部に羽根車（６１）のハブ（６１１）を支持する支持部（６２１）を設けて、羽根車（６１）を内設する。
【００５９】
支持部（６２１）は、フレーム（６２）の吸気口（６２２）側に設け、該支持部（６２１）の外周面には、円周に沿って流体制御手段である制御羽根（６４）を輻射状に配設する。該制御羽根（６４）はフレーム（６２）の内壁に接続する一端をガイド部とし、支持部（６２１）に接続する一端を接続部とするとともに、該ガイド部（６４１）のガイド面（６４１a）が接続部（６４２）のガイド面（６４２a）に比して広くなるように形成し、制御羽根（６４）の作用でフレーム（６２）を流動する流体の半径方向に対する圧力を変化させて、流体の流動方向を制御する効果を達成する。
【００６０】
図５４に開示するように、羽根（６１２）が回転すると、非定常な流れの場（flow field）の変化が発生して流体が吸気口（６２２）から進入し、吹き出し口（６２３）から吹き出される。流体が吸気口（６２２）を通過すると、制御羽根（６４）のガイド部（６４１）のガイド面（６４１a）の作用によって制御を受け、半径方向に対する圧力に大きな変化が発生してハブ（６１１）、及び羽根（６１２）の一端に向かって流動する。また、羽根（６１２）の回転によって流体が吹き出し口（６２３）を通過する場合、流体がハブ（６１１）の後方中心に向かって流動し、さらに外方向に拡散し、ハブ（６１１）の後方に流動して、ハブ（６１１）の後方に発生する滞留領域が減少する。よって、この発明による風向制御手段を具えるファンを放熱システム内に応用し、熱エネルギーを周囲の環境に送る場合、放熱効率を大幅に高め、放熱システム全体の放熱効果をさらに高めることができる。
【００６１】
図５４に開示する制御羽根（６４）は、略中央の位置が凹状を呈し、断面がコの字状に形成されるが、図５５に開示するように、断面が略Ｈ字状を呈し、ガイド部（６７１）と接続部（６７２）とを具えてなり、且つ該ガイド部（６７１）のガイド面（６７１ａ）が接続部（６７２）のガイド面（６７２ａ）よりも広くなるように形成した制御羽根（６７）か、もしくは図５６に開示するように、略中央の位置において外方向から凹状部を形成し、ガイド部（６８１）と接続部（６８２）とを具えてなり、且つガイド部（６８１）のガイド面（６８１ａ）が接続部（６８２）のガイド面（６８２ａ）に比して広くなるように形成した制御羽根（６８）であってもよく、いずれも制御羽根（６４）と同様に、流体の半径方向に対する圧力を変化させ、流体の流動方向を制御して放熱効果を高めることができる。
【実施例１２】
【００６２】
この発明の第１２の実施例を図５７から図６０に開示する。全体的な構造は前述の第１１の実施例と略同様であるためここでは詳述しない。第１２の実施例においては、支持部（６２１）をフレーム（６２）の吸気口（６２２）側に設け、該支持部（６２１）の外周面には、円周に沿って風向制御手段である平板状の制御羽根（６６）を輻射状に配設する点が異なる。該制御羽根（６６）はガイド部（６６１）と接続部（６６２）を具えてなり、ガイド部（６６１）のガイド面（６６１a）が接続部（６６２）のガイド面（６６２a）に比して広くなるように形成し、フレーム（６２）を流動する流体の半径方向に対する圧力を変化させて流体の流動方向を制御する効果を達成する。
【実施例１３】
【００６３】
図６１から図６３に第１３の実施例を開示する。図面に開示するように、対向する両端面をそれぞれ吸気口（７１２）、吹き出し口（７１３）とし、支持部（７１１）を内設したフレーム（７１）と、対向する両端面を吸気口（７４１）、吹き出し口（７４２）とし、支持部（７４３）を内設するとともに、該支持部（７４３）にハブ（７５１）と羽根（７５２）とによってなる羽根車（７５）を回動自在に設けたファンモジュール（７３）とを組み合わせて構成する。
【００６４】
該フレーム（７１）に内設する支持部（７１１）の外周面には、円周に沿って風向制御手段である制御羽根（７２）を輻射状に配設する。該制御羽根（７２）は、一端をフレーム（７１）の内壁に接続するガイド部（７２１）とし、他端を支持部（７１１）に接続する接続部（７２２）とするとともに、該ガイド部（７２１）のガイド面（７２１a）が接続部（７２２）のガイド面（７２２a）に比して広くなるように形成する。
【００６５】
フレーム（７１）は、ファンモジュール（７３）の吹き出し口（７４２）側の端面に接続する。
【００６６】
以上の構造により、ファンモジュール（７３）とフレーム（７１）を流動する流体の半径方向に対する圧力を変化させて、吹き出し口（７１３）の中心に向かって流動させる。このため、フレーム（７１）の吹き出し口（７１３）を通過した流体が即外方向に拡散することなく、流体の流動方向制御の効果を達成することができ、騒音の発生を抑制することができる。
【００６７】
図６１、図６４に開示するように、羽根（７５２）が回転すると、非定常な流れの場（flow field）の変化が発生してファンモジュール（７３）の吸気口（７４１）から流体が進入し、ファンモジュール（７３）の吹き出し口（７４２）とフレーム（７１）の吸気口（７１２）を通過してフレーム（７１）の吹き出し口（７１３）から吹き出される。流体がフレーム（７１）を流動する場合、フレーム（７１）の制御羽根（７２）を構成するガイド部（７２１）のガイド面（７２１ａ）の作用によって制御を受け、半径方向に対する圧力に大きな変化が発生して支持部（７１１）の後方中心部に向かって流動する。よって流体の支持部（７１１）の後方へ流動する流量が増加し、支持部（７１１）の後方に発生する滞留領域が縮小する。このため、この実施例による放熱装置を放熱システム内に応用し、熱エネルギーを周囲の環境に送る場合、放熱効率を大幅に高め、放熱システム全体の放熱効果をさらに高めることができる。
【００６８】
図６４に開示する制御羽根（７２）は、接続部（７２２）がファンモジュール（７３）側から凹状に形成され、断面が略L字状を呈するが、図６５に開示するように、断面が略T字状を呈し、ガイド部（７７１）と接続部（７７２）とを具えてなり、且つガイド部（７７１）のガイド面（７７１a）が接続部（７７２）のガイド面（７７２a）に比して広くなるように形成した制御羽根（７７）か、もしくは図６６に開示するように、接続部（７２２）が外方向から凹状に形成され、断面が逆L字状を呈し、ガイド部（７８１）と接続部（７８２）とを具えてなり、且つガイド部（７８１）のガイド面（７８１a）が接続部（７８２）のガイド面（７８２ａ）に比して広くなるように形成した制御羽根（７８）であってもよく、いずれも吹き出し口（７１３）を通過する流体の半径方向に対する圧力を変化させ、流体の流動方向を制御して、放熱効果を高めることができる。
【実施例１４】
【００６９】
この発明の第１４の実施例を図６７から図７０に開示する。全体的な構造は前述の実施例と略同様であるためここでは詳述しない。第１４の実施例においては、フレーム（７１）の支持部（７１１）の外周面に、円周に沿って風向制御手段である平板状の制御羽根（７６）を輻射状に配設した点が異なる。該制御羽根（７６）はガイド部（７６１）と接続部（７６２）を具え、ガイド部（７６１）のガイド面（７６１a）が接続部（７６２）のガイド面（７６２a）に比して広くなるように形成し、フレーム（７１）とファンモジュール（７３）のフレーム（７４）を流動する流体の半径方向に対する圧力を変化させて流体の流動方向を制御する効果を達成する。
【００７０】
また、第１３と第１４の実施例におけるフレーム（７１）は、ファンモジュール（７３）の吹き出し口（７４２）側に設けるか、或いは吸気口（７４１）側に設けてもよく、同様に流動する流体の半径方向に対する圧力を変化させて流体の流動方向を制御する効果を達成することができる。
【実施例１５】
【００７１】
図７１から図７３に第１５の実施例を開示する。図面に開示するように、対向する両端面をそれぞれ吸気口（８１２）、吹き出し口（８１３）とし、支持部（８１１）を内設したフレーム（８１）と、対向する両端面を吸気口（８４１）、吹き出し口（８４２）とし、支持部（８４３）を内設するとともに、該支持部（８４３）にハブ（８５１）と羽根（８５２）とによってなる羽根車（８５）を回動自在に設けたファンモジュール（８３）とを組み合わせて構成する。
【００７２】
該フレーム（８１）に内設する支持部（８１１）の外周面には、円周に沿って風向制御手段である制御羽根（８２）を輻射状に配設する。該制御羽根（８２）は、一端をフレーム（８１）の内壁に接続するガイド部（８２１）とし、他端を支持部（８１１）に接続する接続部（８２２）とするとともに、該ガイド部（８２１）のガイド面（８２１a）が接続部（８２２）のガイド面（８２２a）に比して広くなるように形成する。
【００７３】
フレーム（８１）は、ファンモジュール（８３）の吹き出し口（８４２）側の端面に接続する。
【００７４】
該制御羽根（８２）は、ガイド部（８２１）を凹状に形成する。よって、図７４に開示するように、断面が略Ｌ字状を呈するように形成する。
【００７５】
以上の構造により、ファンモジュール（８３）とフレーム（８１）を流動する流体の半径方向に対する圧力を変化させる。
【００７６】
図７１、図７４に開示するように、羽根（８５２）が回転すると、非定常な流れの場（flow field）の変化が発生してファンモジュール（８３）の吸気口（８４１）から流体が進入し、ファンモジュール（８３）の吹き出し口（８４２）とフレーム（８１）の吸気口（８１２）を通過してフレーム（８１）の吹き出し口（８１３）から吹き出される。流体がフレーム（８１）の吹き出し口（８１３）を通過する場合、フレーム（８１）の制御羽根（８２）を構成するガイド部（８２１）のガイド面（８２１ａ）の作用によって制御を受け、半径方向に対する圧力に大きな変化が発生し、外方向に拡散する。この場合、流体の半径方向に対する圧力が増加するため、外方向に拡散する流動範囲が広くなる。
【００７７】
図７４に開示する制御羽根（８２）は、図７５に開示するように、ガイド部（８７１）と接続部（８７２）とを具えてなり、且つ該接続部（８７２）に外方向とファンモジュール（８３）側から凹状部を形成し、断面が略T字状を呈するように形成するとともに、ガイド部（８７１）のガイド面（８７１a）が接続部（８７２）のガイド面（８７２a）に比して広くなるように形成した制御羽根（８７）か、もしくは図７６に開示するように、ガイド部（８８１）と接続部（８８２）とを具えてなり、且つ該接続部（８２２）が外方向から凹状に形成され、断面が逆L字状を呈するように形成するとともに、ガイド部（８８１）のガイド面（８８１a）が接続部（８８２）のガイド面（８８２ａ）に比して広くなるように形成した制御羽根（８８）であってもよく、いずれも吹き出し口（８１３）を通過する流体の半径方向に対する圧力を変化させ、流体の流動方向を制御する効果を達成することができる。
【実施例１６】
【００７８】
この発明の第１６の実施例を図７７から図８０に開示する。全体的な構造と効果は前述の実施例と略同様であるためここでは詳述しない。第１６の実施例においてはフレーム（８１）の支持部（８１１）の外周面に、円周に沿って風向制御手段である平板状の制御羽根（８６）を輻射状に設ける点が異なる。該制御羽根（８６）はガイド部（８６１）と接続部（８６２）を具え、ガイド部（８６１）のガイド面（８６１a）が接続部（８６２）のガイド面（８６２a）に比して広くなるように形成され、フレーム（８１）とファンモジュール（８３）のフレーム（８４）を流動する流体の半径方向に対する圧力を変化させて流体の流動方向を制御する効果を達成する。
【００７９】
また、第１５と第１６の実施例においてフレーム（８１）はファンモジュール（８３）の吹き出し口（８４２）側に設けたが、但し吸気口（８４１）側に設けてもよく、同様に流動する流体の半径方向に対する圧力を変化させて流動方向を制御する効果を達成する。
【実施例１７】
【００８０】
図８１から図８３に第１７の実施例を開示する。図面に開示するように、対向する両端面をそれぞれ吸気口（９１２）、吹き出し口（９１３）とし、支持部（９１１）を内設したフレーム（９１）と、対向する両端面を吸気口（９４１）、吹き出し口（９４２）とし、支持部（９４３）を内設するとともに、該支持部（９４３）にハブ（９５１）と羽根（９５２）とによってなる羽根車（９５）を回動自在に設けたファンモジュール（９３）とを組み合わせて構成する。
【００８１】
該フレーム（９１）に内設する支持部（９１１）の外周面には、円周に沿って風向制御手段である制御羽根（９２）を輻射状に配設する。該制御羽根（９２）は、一端をフレーム（９１）の内壁に接続するガイド部（９２１）とし、他端を支持部（９１１）に接続する接続部（９２２）とするとともに、該ガイド部（９２１）のガイド面（９２１a）が接続部（９２２）のガイド面（９２２a）に比して広くなるように形成する。
【００８２】
フレーム（９１）は、ファンモジュール（９３）の吹き出し口（９４２）側の端面に接続する。
【００８３】
該制御羽根（９２）は、図８４に開示するように、略中央の位置に吸気口（９１２）側から切り欠き状の凹部を形成し、断面がコの字状を呈するように形成する。
【００８４】
以上の構造により、ファンモジュール（９３）とフレーム（９１）を流動する流体の半径方向に対する圧力を変化させる。
【００８５】
図８１、図８４に開示するように、羽根（９５２）が回転すると、非定常な流れの場（flow field）の変化が発生してファンモジュール（９３）の吸気口（９４１）から流体が進入し、ファンモジュール（９３）の吹き出し口（９４２）とフレーム（９１）の吸気口（９１２）を通過してフレーム（９１）の吹き出し口（９１３）から吹き出される。流体がフレーム（９１）の吹き出し口（９１３）を通過する場合、フレーム（９１）の制御羽根（９２）を構成するガイド部（９２１）のガイド面（９２１ａ）の作用によって制御を受け、半径方向に対する圧力に大きな変化が発生し、支持部（９１１）の後方中心に向かって流動するとともに、外方向に拡散する。このため、流体が支持部（９１１）の後方に流動し、支持部（９１１）の後方に発生する滞留領域を減少させることができる。よって、実施例による放熱装置を放熱システムに応用した場合、熱が効率良く放出され、放熱効果を大幅に高めることができる。
【００８６】
図８４に開示する制御羽根（９２）は、図８５に開示するように、ガイド部（９７１）と接続部（９７２）とを具えてなり、且つ略中央の位置に外方向とファンモジュール（９３）側から切り欠き状に凹部を形成し、断面が略Ｈ字状を呈するように形成するとともに、ガイド部（９７１）のガイド面（９７１a）が接続部（９７２）のガイド面（９７２a）に比して広くなるように形成した制御羽根（９７）か、もしくは図８６に開示するように、ガイド部（９８１）と接続部（９８２）とを具えてなり、且つ略中央の位置に外方向から切り欠き状に凹部を形成し、断面がコの字状を呈するように形成するとともに、ガイド部（９８１）のガイド面（９８１a）が接続部（９８２）のガイド面（９８２ａ）に比して広くなるように形成した制御羽根（９８）であってもよく、いずれもフレーム（９１）とファンモジュール（９３）を通過する流体の半径方向に対する圧力を変化させ、流体の流動方向を制御する効果を達成することができる。
【実施例１８】
【００８７】
この発明の第１８の実施例を図８７から図９０に開示する。全体的な構造と効果は前述の第１７の実施例と略同様であるためここでは詳述しない。第１８の実施例にいては、フレーム（９１）に設けられる支持部（９１１）の外周面に、円周に沿って風向制御手段である平板状の制御羽根（９６）を輻射状に設ける点が異なる。該制御羽根（９６）はガイド部（９６１）と接続部（９６２）を具えてなり、ガイド部（９６１）のガイド面（９６１a）が接続部（９６２）のガイド面（９６２a）に比して広くなるように形成し、フレーム（９１）とファンモジュール（９３）のフレーム（９４）を流動する流体の半径方向に対する圧力を変化させて流体の流動方向を制御する効果を達成する。
【００８８】
また、第１７と第１８の実施例においてフレーム（９１）はファンモジュール（９３）の吹き出し口（９４２）側に設けたが、但し吸気口（９４１）側に設けても同様に流動する流体の半径方向に対する圧力を変化させて流体の流動方向を制御する効果を達成する。
【００８９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００９０】
【図１】第１の実施例による放熱装置の分解図である。
【図２】図１に開示する放熱装置を吸気口側から見た一部切り欠き説明図である。
【図３】図１に開示する放熱装置の斜視図である。
【図４】図１に開示する放熱装置における流体の流動方向を表わす説明図である。
【図５】図１に開示する放熱装置における制御羽根の他の実施形態を表わす断面図である。
【図６】図１に開示する放熱装置における制御羽根のその他実施形態を表わす断面図である。
【図７】第２の実施例による放熱装置の分解図である。
【図８】図７に開示する放熱装置を吸気口側から見た一部切り欠き説明図である。
【図９】図７に開示する放熱装置の斜視図である。
【図１０】図７に開示する放熱装置における流体の流動方向を表わす説明図である。
【図１１】第３の実施例による放熱装置の分解図である。
【図１２】図１１に開示する放熱装置を吸気口側から見た一部切り欠き説明図である。
【図１３】図１１に開示する放熱装置の斜視図である。
【図１４】図１１に開示する放熱装置における流体の流動方向を表わす説明図である。
【図１５】図１１に開示する放熱装置における制御羽根の他の実施形態を表わす断面図である。
【図１６】図１１に開示する放熱装置における制御羽根のその他実施形態を表わす断面図である。
【図１７】第４の実施例による放熱装置の分解図である。
【図１８】図１７に開示する放熱装置を吸気口側から見た一部切り欠き説明図である。
【図１９】図１７に開示する放熱装置の斜視図である。
【図２０】図１７に開示する放熱装置における流体の流動方向を表わす説明図である。
【図２１】第５の実施例による放熱装置の分解図である。
【図２２】図２１に開示する放熱装置を吸気口側から見た一部切り欠き説明図である。
【図２３】図２１に開示する放熱装置の斜視図である。
【図２４】図２１に開示する放熱装置における流体の流動方向を表わす説明図である。
【図２５】図２１に開示する放熱装置における制御羽根の他の実施形態を表わす断面図である。
【図２６】図２１に開示する放熱装置における制御羽根のその他実施形態を表わす断面図である。
【図２７】第６の実施例による放熱装置の分解図である。
【図２８】図２７に開示する放熱装置を吸気口側から見た一部切り欠き説明図である。
【図２９】図２７に開示する放熱装置の斜視図である。
【図３０】図２７に開示する放熱装置における流体の流動方向を表わす説明図である。
【図３１】第７の実施例による放熱装置の分解図である。
【図３２】図３１に開示する放熱装置を吸気口側から見た一部切り欠き説明図である。
【図３３】図３１に開示する放熱装置の斜視図である。
【図３４】図３１に開示する放熱装置における流体の流動方向を表わす説明図である。
【図３５】図３１に開示する放熱装置における制御羽根の他の実施形態を表わす断面図である。
【図３６】図３１に開示する放熱装置における制御羽根のその他実施形態を表わす断面図である。
【図３７】第８の実施例による放熱装置の分解図である。
【図３８】図３７に開示する放熱装置を吸気口側から見た一部切り欠き説明図である。
【図３９】図３７に開示する放熱装置の斜視図である。
【図４０】図３７に開示する放熱装置における流体の流動方向を表わす説明図である。
【図４１】第９の実施例による放熱装置の分解図である。
【図４２】図４１に開示する放熱装置を吸気口側から見た一部切り欠き説明図である。
【図４３】図４１に開示する放熱装置の斜視図である。
【図４４】図４１に開示する放熱装置における流体の流動方向を表わす説明図である。
【図４５】図４１に開示する放熱装置における制御羽根の他の実施形態を表わす断面図である。
【図４６】図４１に開示する放熱装置における制御羽根のその他実施形態を表わす断面図である。
【図４７】第１０の実施例による放熱装置の分解図である。
【図４８】図４７に開示する放熱装置を吸気口側から見た一部切り欠き説明図である。
【図４９】図４７に開示する放熱装置の斜視図である。
【図５０】図４７に開示する放熱装置における流体の流動方向を表わす説明図である。
【図５１】第１１の実施例による放熱装置の分解図である。
【図５２】図５１に開示する放熱装置を吸気口側から見た一部切り欠き説明図である。
【図５３】図５１に開示する放熱装置の斜視図である。
【図５４】図５１に開示する放熱装置における流体の流動方向を表わす説明図である。
【図５５】図５１に開示する放熱装置における制御羽根の他の実施形態を表わす断面図である。
【図５６】図５１に開示する放熱装置における制御羽根のその他実施形態を表わす断面図である。
【図５７】第１２の実施例による放熱装置の分解図である。
【図５８】図５７に開示する放熱装置を吸気口側から見た一部切り欠き説明図である。
【図５９】図５７に開示する放熱装置の斜視図である。
【図６０】図５７に開示する放熱装置における流体の流動方向を表わす説明図である。
【図６１】第１３の実施例による放熱装置の分解図である。
【図６２】図６１に開示する放熱装置を吸気口側から見た一部切り欠き説明図である。
【図６３】図６１に開示する放熱装置の斜視図である。
【図６４】図６１に開示する放熱装置における流体の流動方向を表わす説明図である。
【図６５】図６１に開示する放熱装置における制御羽根の他の実施形態を表わす断面図である。
【図６６】図６１に開示する放熱装置における制御羽根のその他実施形態を表わす断面図である。
【図６７】第１４の実施例による放熱装置の分解図である。
【図６８】図６７に開示する放熱装置を吸気口側から見た一部切り欠き説明図である。
【図６９】図６７に開示する放熱装置の斜視図である。
【図７０】図６７に開示する放熱装置における流体の流動方向を表わす説明図である。
【図７１】第１５の実施例による放熱装置の分解図である。
【図７２】図７１に開示する放熱装置を吸気口側から見た一部切り欠き説明図である。
【図７３】図７１に開示する放熱装置の斜視図である。
【図７４】図７１に開示する放熱装置における流体の流動方向を表わす説明図である。
【図７５】図７１に開示する放熱装置における制御羽根の他の実施形態を表わす断面図である。
【図７６】図７１に開示する放熱装置における制御羽根のその他実施形態を表わす断面図である。
【図７７】第１６の実施例による放熱装置の分解図である。
【図７８】図７７に開示する放熱装置を吸気口側から見た一部切り欠き説明図である。
【図７９】図７７に開示する放熱装置の斜視図である。
【図８０】図７７に開示する放熱装置における流体の流動方向を表わす説明図である。
【図８１】第１７の実施例による放熱装置の分解図である。
【図８２】図８１に開示する放熱装置を吸気口側から見た一部切り欠き説明図である。
【図８３】図８１に開示する放熱装置の斜視図である。
【図８４】図８１に開示する放熱装置における流体の流動方向を表わす説明図である。
【図８５】図８１に開示する放熱装置における制御羽根の他の実施形態を表わす断面図である。
【図８６】図８１に開示する放熱装置における制御羽根のその他実施形態を表わす断面図である。
【図８７】第１８の実施例による放熱装置の分解図である。
【図８８】図８７に開示する放熱装置を吸気口側から見た一部切り欠き説明図である。
【図８９】図８７に開示する放熱装置の斜視図である。
【図９０】図８７に開示する放熱装置における流体の流動方向を表わす説明図である。
【符号の説明】
【００９１】
１１  羽根車
１１１  ハブ
１１２  羽根
１２  フレーム
１２１  支持部
１２２  吸気口
１２３  吹き出し口
１４  制御羽根
１４１  ガイド部
１４１ａ  ガイド面
１４２  接続部
１４２ａ  ガイド面
１６  制御羽根
１６１  ガイド部
１６１ａ  ガイド面
１６２  接続部
１６２ａ  ガイド面
１７  制御羽根
７１  ガイド部
１７１ａ  ガイド面
１７２  固定部
１７２ａ  ガイド面
１８  ガイド部
１８１  ガイド部
１８１ａ  ガイド面
１８２  固定部
１８２ａ  ガイド面
２１  羽根車
２１１  ハブ
２１２  羽根
２２  フレーム
２２１  支持部
２２２  吸気口
２２３  吹き出し口
２４  制御羽根
２４１  ガイド部
２４１ａ  ガイド面
２４２  接続部
２４２ａ  ガイド面
２６  制御羽根
２６１  ガイド部
２６１ａ  ガイド面
２６２  接続部
２６２ａ  ガイド面
２７  制御羽根
２７１  ガイド部
２７１ａ  ガイド面
２７２  接続部
２７２ａ  ガイド面
２８  制御羽根
２８１  ガイド部
２８１ａ  ガイド面
２８２  接続部
２８２ａ  ガイド面
３１  ファン
３１１  ハブ
３１２  羽根
３２  羽根車
３２１  支持部
３２２  吸気口
３２３  吹き出し口
３４  制御羽根
３４１  ガイド部
３４１ａ  ガイド面
３４２  接続部
３４２ａ  ガイド面
３６  制御羽根
３６１  ガイド部
３６１ａ  ガイド面
３６２  接続部
３６２ａ  ガイド面
３７  制御羽根
３７１  ガイド部
３７１ａ  ガイド面
３７２  接続部
３７２ａ  ガイド面
３８  制御羽根
３８１  ガイド部
３８１ａ  ガイド面
３８２  接続部
３８２ａ  ガイド面
４１  羽根車
４１１  ハブ
４１２  羽根
４２  フレーム
４２１  支持部
４２２  吸気口
４２３  吹き出し口
４４  制御羽根
４４１  ガイド部
４４１ａ  ガイド面
４４２  接続部
４４２ａ  ガイド面
４６  制御羽根
４６１  ガイド部
４６１ａ  ガイド面
４６２  接続部
４６２ａ  ガイド面
４７  制御羽根
４７１  ガイド部
４７１ａ  ガイド面
４７２  接続部
４７２ａ  ガイド面
４８  制御羽根
４８１  ガイド部
４８１ａ  ガイド面
４８２  接続部
４８２ａ  ガイド面
５１  羽根車
５１１  ハブ
５１２  羽根
５２  フレーム
５２１  支持部
５２２  吸気口
５２３  吹き出し口
５４  制御羽根
５４１  ガイド部
５４１ａ  ガイド面
５４２  接続部
５４２ａ  ガイド面
５６  制御羽根
５６１  ガイド部
５６１ａ  ガイド面
５６２  接続部
５６２ａ  ガイド面
５７  制御羽根
５７１  ガイド部
５７１ａ  ガイド面
５７２  接続部
５７２ａ  ガイド面
５８  制御羽根
５８１  ガイド部
５８１ａ  ガイド面
５８２  接続部
５８２ａ  ガイド面
６１  羽根車
６１１  ハブ
６１２  羽根
６２  フレーム
６２１  支持部
６２２  吸気口
６２３  吹き出し口
６４  制御羽根
６４１  ガイド部
６４１ａ  ガイド面
６４２  接続部
６４２ａ  ガイド面
６６  制御羽根
６６１  ガイド部
６６１ａ  ガイド面
６６２  接続部
６６２ａ  ガイド面
６７  制御羽根
６７１  ガイド部
６７１ａ  ガイド面
６７２  接続部
６７２ａ  ガイド面
６８  制御羽根
６８１  ガイド部
６８１ａ  ガイド面
６８２  接続部
６８２ａ  ガイド面
７１  フレーム
７１１  支持部
７１２  吸気口
７１３  吹き出し口
７２  制御羽根
７２１  ガイド部
７２１ａ  ガイド面
７２２  接続部
７２２ａ  ガイド面
７３  ファンモジュール
７４  フレーム
７４１  吸気口
７４２  吹き出し口
７４３  支持部
７５  羽根車
７５１  ハブ
７５２  羽根
７６  制御羽根
７６１  ガイド部
７６１ａ  ガイド面
７６２  接続部
７６２ａ  ガイド面
７７  制御羽根
７７１  ガイド部
７７１ａ  ガイド面
７７２  接続部
７７２ａ  ガイド面
７８  制御羽根
７８１  ガイド部
７８１ａ  ガイド面
７８２  接続部
７８２ａ  ガイド面
８１  フレーム
８１１  支持部
８１２  吸気口
８１３  吹き出し口
８２  制御羽根
８２１  ガイド部
８２１ａ  ガイド面
８２２  接続部
８２２ａ  ガイド面
８３  ファンモジュール
８４  フレーム
８４１  吸気口
８４２  吹き出し口
８４３  支持部
８５  羽根車
８５１  ハブ
８５２  羽根
８６  制御羽根
８６１  ガイド部
８６１ａ  ガイド面
８６２  接続部
８６２ａ  ガイド面
８７  制御羽根
８７１  ガイド部
８７１ａ  ガイド面
８７２  接続部
８７２ａ  ガイド面
８８  制御羽根
８８１  ガイド部
８８１ａ  ガイド面
８８２  接続部
８８２ａ  ガイド面
９１  フレーム
９１１  支持部
９１２  吸気口
９１３  吹き出し口
９２  制御羽根
９２１  ガイド部
９２１ａ  ガイド面
９２２  接続部
９２２ａ  ガイド面
９３  ファンモジュール
９４  フレーム
９４１  吸気口
９４２  吹き出し口
９４３  支持部
９５  羽根車
９５１  ハブ
９５２  羽根
９６  制御羽根
９６１  ガイド部
９６１ａ  ガイド面
９６２  接続部
９６２ａ  ガイド面
９７  制御羽根
９７１  ガイド部
９７１ａ  ガイド面
９７２  接続部
９７２ａ  ガイド面
９８  制御羽根
９８１  ガイド部
９８１ａ  ガイド面
９８２  接続部
９８２ａ  ガイド面
【図１】
2005051120.tif 000003
【図２】
2005051120.tif 000004
【図３】
2005051120.tif 000005
【図４】
2005051120.tif 000006
【図５】
2005051120.tif 000007
【図６】
2005051120.tif 000008
【図７】
2005051120.tif 000009
【図８】
2005051120.tif 000010
【図９】
2005051120.tif 000011
【図１０】
2005051120.tif 000012
【図１１】
2005051120.tif 000013
【図１２】
2005051120.tif 000014
【図１３】
2005051120.tif 000015
【図１４】
2005051120.tif 000016
【図１５】
2005051120.tif 000017
【図１６】
2005051120.tif 000018
【図１７】
2005051120.tif 000019
【図１８】
2005051120.tif 000020
【図１９】
2005051120.tif 000021
【図２０】
2005051120.tif 000022
【図２１】
2005051120.tif 000023
【図２２】
2005051120.tif 000024
【図２３】
2005051120.tif 000025
【図２４】
2005051120.tif 000026
【図２５】
2005051120.tif 000027
【図２６】
2005051120.tif 000028
【図２７】
2005051120.tif 000029
【図２８】
2005051120.tif 000030
【図２９】
2005051120.tif 000031
【図３０】
2005051120.tif 000032
【図３１】
2005051120.tif 000033
【図３２】
2005051120.tif 000034
【図３３】
2005051120.tif 000035
【図３４】
2005051120.tif 000036
【図３５】
2005051120.tif 000037
【図３６】
2005051120.tif 000038
【図３７】
2005051120.tif 000039
【図３８】
2005051120.tif 000040
【図３９】
2005051120.tif 000041
【図４０】
2005051120.tif 000042
【図４１】
2005051120.tif 000043
【図４２】
2005051120.tif 000044
【図４３】
2005051120.tif 000045
【図４４】
2005051120.tif 000046
【図４５】
2005051120.tif 000047
【図４６】
2005051120.tif 000048
【図４７】
2005051120.tif 000049
【図４８】
2005051120.tif 000050
【図４９】
2005051120.tif 000051
【図５０】
2005051120.tif 000052
【図５１】
2005051120.tif 000053
【図５２】
2005051120.tif 000054
【図５３】
2005051120.tif 000055
【図５４】
2005051120.tif 000056
【図５５】
2005051120.tif 000057
【図５６】
2005051120.tif 000058
【図５７】
2005051120.tif 000059
【図５８】
2005051120.tif 000060
【図５９】
2005051120.tif 000061
【図６０】
2005051120.tif 000062
【図６１】
2005051120.tif 000063
【図６２】
2005051120.tif 000064
【図６３】
2005051120.tif 000065
【図６４】
2005051120.tif 000066
【図６５】
2005051120.tif 000067
【図６６】
2005051120.tif 000068
【図６７】
2005051120.tif 000069
【図６８】
2005051120.tif 000070
【図６９】
2005051120.tif 000071
【図７０】
2005051120.tif 000072
【図７１】
2005051120.tif 000073
【図７２】
2005051120.tif 000074
【図７３】
2005051120.tif 000075
【図７４】
2005051120.tif 000076
【図７５】
2005051120.tif 000077
【図７６】
2005051120.tif 000078
【図７７】
2005051120.tif 000079
【図７８】
2005051120.tif 000080
【図７９】
2005051120.tif 000081
【図８０】
2005051120.tif 000082
【図８１】
2005051120.tif 000083
【図８２】
2005051120.tif 000084
【図８３】
2005051120.tif 000085
【図８４】
2005051120.tif 000086
【図８５】
2005051120.tif 000087
【図８６】
2005051120.tif 000088
【図８７】
2005051120.tif 000089
【図８８】
2005051120.tif 000090
【図８９】
2005051120.tif 000091
【図９０】
2005051120.tif 000092